(57)【要約】【課題】外径精度が保証されている特定領域を限定して表示する精度保証表示部は、上記特定領域を境にしてピン状体の表面の軸線方向両側位置に形成された対向一対の境界表示部からなることにより、工作物の穴外径測定や穴の芯間測定等の精密測定は勿論のこと、投光部から受光部に平行レーザー光を投射し、測定対象物により遮蔽される遮蔽距離により測定対象物の外径を測定するレーザー式外径測定器において、ピン状体の特定領域の外径実寸法を写し込み、零点調整精度の向上を図ることができる。【解決手段】外径精度を保証して製作されたピン状体１の表面に外径精度が保証されている特定領域２を限定して表示する精度保証表示部３を設けてなり、精度保証表示部は特定領域を境にしてピン状体の表面の軸線方向両側位置に形成された対向一対の境界表示部４からなる。【選択図】図１
0003126670.tif 000002
【実用新案登録請求の範囲】
【請求項１】
外径精度を保証して製作されたピン状体の表面に該外径精度が保証されている特定領域を限定して表示する精度保証表示部を設けてなり、上記精度保証表示部は上記特定領域を境にして上記ピン状体の表面の軸線方向両側位置に形成された対向一対の境界表示部からなることを特徴とするピンゲージ。
【請求項２】
上記対向一対の境界表示部は対向一対の境界線及び対向一対の矢印からなることを特徴とする請求項１記載のピンゲージ。
【請求項３】
上記ピン状体の表面に上記特定領域の外径呼び寸法及び該外径呼び寸法と該特定領域の実寸法との誤差値を表示してなることを特徴とする請求項１又は２記載のピンゲージ。
【考案の詳細な説明】
【技術分野】
【０００１】
本考案は例えばレーザー式外径測定器、マイクロメーター等の各種の測定器の零点調整や工作物の穴外径測定や穴の芯間測定等の精密測定に用いられるピンゲージに関するものである。
【背景技術】
【０００２】
従来この種のピンゲージとして、外径精度を保証して製作されたピン状体の表面に該外径精度が保証されている特定領域を限定して表示する精度保証表示部を設けて構成してなる構造のものが知られている。
【特許文献１】実公平６−３７２８１号公報
【考案の開示】
【考案が解決しようとする課題】
【０００３】
しかしながら上記従来構造の場合、例えば、図７、８の如く、上記精度保証表示部Ｇは上記特定領域Ｋを取り囲んでピン状体Ｓの表面の軸線方向両側位置及び半径方向両側位置に形成された態様のマークや指標からなり、この精度保証表示部Ｇはピン状体Ｓの表面にレーザー印字機や電気腐食機により形成され、投光部Ｍから受光部Ｎに平行レーザー光Ｒを投射し、測定対象物により遮蔽される遮蔽距離により測定対象物の外径を測定するレーザー式外径測定器Ｆにおいて、測定対象物に代えて、ピンゲージＰに平行レーザー光Ｒを照射し、ピンゲージＰの特定領域Ｋの外径実寸法Ｄを写し込み、レーザー式外径測定器Ｆの零点調整等を行うに際し、精度保証表示部Ｇのマークや指標の印字部分Ｇ1がレーザー光Ｒにかかり、精度保証表示部Ｇの印字部分Ｇ1は例えば深さ略０．４μｍ程度の凹溝部分であり、この印字部分の存在により写し込み寸法に誤差が生じ、零点調整精度の低下を招くことがあるという不都合を有している。
【課題を解決するための手段】
【０００４】
本考案はこれらの不都合を解決することを目的とするもので、本考案のうちで、請求項１記載の考案は、外径精度を保証して製作されたピン状体の表面に該外径精度が保証されている特定領域を限定して表示する精度保証表示部を設けてなり、上記精度保証表示部は上記特定領域を境にして上記ピン状体の表面の軸線方向両側位置に形成された対向一対の境界表示部からなることを特徴とするピンゲージにある。
【０００５】
又、請求項２記載の考案は、上記対向一対の境界表示部は対向一対の境界線及び対向一対の矢印からなることを特徴とするものであり、又、請求項３記載の考案は、上記ピン状体の表面に上記特定領域の外径呼び寸法及び該外径呼び寸法と該特定領域の実寸法との誤差値を表示してなることを特徴とするものである。
【考案の効果】
【０００６】
本考案は上述の如く、請求項１記載の考案にあっては、外径精度が保証されている特定領域を限定して表示する精度保証表示部は、上記特定領域を境にしてピン状体の表面の軸線方向両側位置に形成された対向一対の境界表示部からなることにより、工作物の穴外径測定や穴の芯間測定等の精密測定は勿論のこと、投光部から受光部に平行レーザー光を投射し、測定対象物により遮蔽される遮蔽距離により測定対象物の外径を測定するレーザー式外径測定器において、ピン状体の特定領域の外径実寸法を写し込み、レーザー式外径測定器の零点調整等を行うに際し、境界表示部がレーザー光にかかることがなくなり、それだけ、零点調整精度の向上を図ることができる。
【０００７】
又、請求項２記載の考案にあっては、上記対向一対の境界表示部は対向一対の境界線及び対向一対の矢印からなるので、外径精度が保証されている特定領域を容易に認識することができ、零点調整を迅速に行うことができ、又、請求項３記載の考案にあっては、上記ピン状体の表面に上記特定領域の外径呼び寸法及び外径呼び寸法と特定領域の実寸法との誤差値を表示してなるから、特定領域における外径実寸法を容易に認識することができる。
【考案を実施するための最良の形態】
【０００８】
図１乃至図６は本考案の実施の形態例を示し、図１乃至図３は第一形態例、図４は第二形態例、図５は第三形態例、図６は第四形態例である。
【０００９】
図１乃至図３の第一形態例において、１はピン状体であって、この場合、外径５ｍｍ、長さ５０ｍｍの鋼製の円柱状に形成され、このピン状体１の表面に外径精度が保証されている特定領域２を限定して表示する精度保証表示部３がを設けられている。
【００１０】
この場合、上記精度保証表示部３は上記特定領域２を境にして上記ピン状体１の表面の軸線方向両側位置に形成された対向一対の境界表示部４・４からなり、この場合、境界表示部４・４は対向一対の外向き〔〕状の境界線４ａ・４ａ及び対向一対の黒塗り潰し状の矢印４ｂ・４ｂからなり、この境界表示部４・４はレーザー式印字機や電気腐食機により形成されている。
【００１１】
又、この場合、上記ピン状体１の表面に上記特定領域２の外径呼び寸法５としての５ｍｍの数値及び外径呼び寸法５と２特定領域の実寸法との誤差値６としての＋０．０００３の数値をレーザー式印字機や電気腐食機により印字表示して構成している。すなわち、この場合、上記対向一対の境界表示部４・４の中央位置たる特定領域２の外径の実寸法は５．０００３ｍｍとなっている。
【００１２】
この実施の第一形態例は上記構成であるから、外径精度が保証されている特定領域２を限定して表示する精度保証表示部３は、上記特定領域２を境にしてピン状体１の表面の軸線方向両側位置に形成された対向一対の境界表示部４・４からなることにより、工作物の穴外径測定や穴の芯間測定等の精密測定は勿論のこと、図３の如く、投光部Ｍから受光部Ｎに平行レーザー光Ｒを投射し、測定対象物により遮蔽される遮蔽距離により測定対象物の外径を測定するレーザー式外径測定器Ｆにおいて、ピン状体１の特定領域２の外径実寸法Ｄを写し込み、レーザー式外径測定器Ｆの零点調整等を行うに際し、境界表示部４・４がレーザー光Ｒにかかることがなくなり、それだけ、零点調整精度の向上を図ることができる。
【００１３】
又、この場合、上記対向一対の境界表示部４・４は対向一対の境界線４ａ・４ａ及び対向一対の矢印４ｂ・４ｂからなるので、外径精度が保証されている特定領域２を容易に認識することができ、零点調整を迅速に行うことができ、又、この場合、上記ピン状体１の表面に上記特定領域２の外径呼び寸法５及び外径呼び寸法５と該特定領域の実寸法との誤差値６を表示してなるから、特定領域２における外径実寸法Ｄを容易に認識することができる。
【００１４】
図４の第二形態例は別例構造を示し、この場合、上記対向一対の境界表示部４・４として、対向一対の折線状の境界線４ａ・４ａ及び対向一対の黒塗り潰し状の矢印４ｂ・４ｂにより形成されている。
【００１５】
図５の第三形態例は別例構造を示し、上記対向一対の境界表示部４・４として、対向一対の〔〕状の境界線４ａ・４ａ及び対向一対の黒塗り潰し状の矢印４ｂ・４ｂにより形成されている。
【００１６】
図６の第三形態例は別例構造を示し、上記対向一対の境界表示部４・４として、対向一対の略〔〕状の境界線４ａ・４ａ及び対向一対の黒塗り潰し状の矢印４ｂ・４ｂにより形成されている。
【００１７】
これら第二、第三、第四形態例にあっても、上記第１形態例と同様な作用効果を得ることができる。
【００１８】
尚、本考案は上記実施の形態例に限られるものではなく、ピン状体１の材質や大きさ、精度保証表示部４、境界表示部４の形態等は適宜変更して設計されるものである。
【００１９】
以上、所期の目的を充分達成することができる。
【図面の簡単な説明】
【００２０】
【図１】本考案の実施の第一形態例の斜視図である。
【図２】本考案の実施の第一形態例の平面図である。
【図３】本考案の実施の第一形態例の零点調整の説明斜視図である。
【図４】本考案の実施の第二形態例の拡大平面図である。
【図５】本考案の実施の第三形態例の拡大平面図である。
【図６】本考案の実施の第四形態例の拡大平面図である。
【図７】従来構造の拡大平面図である。
【図８】従来構造の零点調整の説明斜視図である。
【符号の説明】
【００２１】
Ｒ    レーザー光
Ｄ    外径実寸法
１    ピン状体
２    特定領域
３    精度保証表示部
４    境界表示部
４ａ    境界線
４ｂ    矢印
５    外径呼び寸法
６    誤差値
【図１】
0003126670.tif 000003
【図２】
0003126670.tif 000004
【図３】
0003126670.tif 000005
【図４】
0003126670.tif 000006
【図５】
0003126670.tif 000007
【図６】
0003126670.tif 000008
【図７】
0003126670.tif 000009
【図８】
0003126670.tif 000010